(57)【特許請求の範囲】
【請求項１】
原稿から画像データを読取る画像読取手段と、読取られた画像データを記憶する記憶手段と、該記憶手段に記憶された画像データに基づいて用紙上に画像形成を行う画像形成手段とを備える画像形成装置において、
見開いた製本原稿を読み込む場合、前記画像読取手段で原稿本文の２頁分の画像データを順次読取り、読み取って得られた画像データを前記記憶手段に記憶させる手段と、
該記憶手段に記憶させた画像データを製本原稿と同じ頁順で、先頭頁を用紙の片面に印刷し、２頁目以降の順次読み取って得られた各画像データを１枚の用紙の表裏に順次印刷し、最後の頁を用紙の片面に印刷する制御手段と
を備えることを特徴とする画像形成装置。
【請求項２】
原稿から画像データを読取る画像読取手段と、読取られた画像データを記憶する記憶手段と、該記憶手段に記憶された画像データに基づいて用紙上に画像形成を行う画像形成手段とを備える画像形成装置において、
製本原稿を読み込む場合、前記画像読取手段で少なくとも表表紙１頁分の画像データを読み取り、さらに見開いた原稿本文の２頁分の画像データを順次読取り、読み取って得られた画像データを前記記憶手段に記憶させる手段と、
該記憶手段に記憶させた画像データを製本原稿と同じ頁順で表表紙の画像データと原稿本文の先頭頁とを１枚の用紙の表裏に印刷し、２頁目以降の順次読み取って得られた各画像データを１枚の用紙の表裏に順次印刷し、最後の頁を用紙の片面に印刷する制御手段と
を備えることを特徴とする画像形成装置。
【請求項３】
製本原稿の表紙の有無に関する情報の入力を受付ける手段を更に備え、表紙がある場合、読取られた表紙の画像データを表表紙及び裏表紙に分割して記憶させるべくなしてあることを特徴とする請求項１に記載の画像形成装置。
【請求項４】
分割して記憶させた画像データを最初の用紙と最後の用紙とに分けて画像形成を行わせる手段を備えることを特徴とする請求項３に記載の画像形成装置。
【請求項５】
用紙に付すべき頁情報を生成する頁情報生成手段と、生成した頁情報を前記記憶手段に記憶してある原稿本文の画像データに関連付けて記憶する手段とを備え、画像形成を行う際、頁情報を付加して画像形成を行うべくなしてあることを特徴とする請求項１又は請求項２に記載の画像形成装置。
【請求項６】
画像形成を行うべき画像データが、右綴じ製本用の画像データであるか、又は左綴じ製本用の画像データであるかの選択を受付ける手段を更に備え、
該手段で受け付けた選択に応じて、右綴じ製本又は左綴じ製本と同じ頁順に画像データを生成すべくなしてあることを特徴とする請求項１乃至請求項５の何れかひとつに記載の画像形成装置。
【請求項７】
画像形成がされた用紙を綴じる手段を更に備えることを特徴とする請求項１乃至請求項６の何れかひとつに記載の画像形成装置。
【発明の詳細な説明】
【０００１】
【発明の属する技術分野】
本発明は、製本原稿の画像データを読込み、製本の形態に応じて画像形成を行う画像形成装置に関する。
【０００２】
【従来の技術】
コピー機、又はコピー機能とファクシミリ機能とを有する複合機等の画像形成装置にあっては、印刷した用紙を二つ折りにし、その折り目である中央を綴じる中綴じの製本機能を備えたものがある。
【０００３】
このような画像形成装置による中綴じ製本は、例えば、製本原稿の画像データを読取った後に、一枚の用紙の片面に二頁分づつ、表裏両面で合計四頁分を並べて出力し、各用紙を重ね合わせて、その中央部を綴じ、この綴じられた中央部に沿って二つ折りにすることによって製本している。このような画像形成装置は、簡易な製本装置として知られている。
【０００４】
しかし、このような中綴じ機能を有する画像形成装置は、複雑な機能を備えるために装置が大型化してしまうと言う問題点がある。
そこで、例えば、特開平１１−１５７７２５号公報、及び特開２００１−２８７８４６号公報に開示されている画像形成装置では、中綴じ機能を採用せずに用紙の端部のみを綴じる機能を備えることによって、画像形成装置自体を小型化することができ、現在、画像形成装置として主流となっている。
【０００５】
【発明が解決しようとする課題】
しかしながら、前述の特開平１１−１５７７２５号公報及び特開２００１−２８７８４６号公報で開示されている画像形成装置のように端部のみ綴じる機能を備えた装置においても、製本印刷を行いたいという要望がある。
【０００６】
しかし、このような装置で製本印刷のためにブック原稿の表表紙および裏表紙を、普通に原稿をセットする場合と同じ様に同時にセットして印刷した場合、表表紙および裏表紙の画像を同一の用紙の表裏に両面印刷した後、用紙が綴じられるため、各頁の配列がオリジナルの製本とは異なる位置関係で綴じられてしまうという問題がある。
【０００７】
本発明は斯かる事情に鑑みてなされたものであり、見開いた製本原稿を読み込む場合、原稿本文の２頁分の画像データを順次読取り、読み取って得られた画像データを製本原稿と同じ頁順で、先頭頁を用紙の片面に印刷し、２頁目以降の順次読み取って得られた各画像データを１枚の用紙の表裏に順次印刷し、最後の頁を用紙の片面に印刷することにより、製本された原稿であっても、オリジナルの製本原稿と同じ頁順で画像形成を行うことができる画像形成装置を提供することを目的とする。
また、本発明の他の目的は、製本原稿を読み込む場合、少なくとも表表紙１頁分の画像データを読み取り、さらに見開いた原稿本文の２頁分の画像データを順次読取り、読み取って得られた画像データを製本原稿と同じ頁順で表表紙の画像データと原稿本文の先頭頁とを１枚の用紙の表裏に印刷し、２頁目以降の順次読み取って得られた各画像データを１枚の用紙の表裏に順次印刷し、最後の頁を用紙の片面に印刷することにより、表表紙を有する製本原稿であっても、表表紙と原稿本文とをオリジナルの製本原稿と同じ頁順で画像形成を行うことができる画像形成装置を提供することにある。
【０００８】
本発明の他の目的は、製本原稿の表紙の有無に関する情報の入力を受付ける手段を更に備えており、表紙がある場合には、表紙の画像データを表表紙及び裏表紙に分割して記憶させる構成としていることにより、表紙を有する原稿が読込まれた場合であっても、オリジナルの製本原稿と同じ頁順で画像形成を行うことができる画像形成装置を提供することにある。
また、本発明の他の目的は、分割して記憶させた画像データを最初の用紙と最後の用紙とに分けて画像形成を行わせる構成とすることにより、オリジナルの製本原稿の表紙と異なる頁順で表紙の画像データを入力した場合であっても、オリジナルの製本原稿と同じ頁順で画像形成を行うことができる画像形成装置を提供することを目的とする。
【０００９】
本発明の更に他の目的は、用紙に付するべき頁情報を生成し、画像形成を行う際、生成した頁情報を付加して画像形成を行う構成とすることにより、頁を付加した上、オリジナルの製本原稿と同じ頁順で画像形成を行うことができる画像形成装置を提供することにある。
【００１１】
本発明の更に他の目的は、右綴じ製本用の画像データであるか、又は左綴じ製本用の画像データであるかの選択を受付ける手段を備えることにより、オリジナルの製本原稿と同じ頁順で画像形成を行うことができる画像形成装置を提供することにある。
【００１３】
本発明の更に他の目的は、画像形成がされた用紙を綴じる手段を更に備えることにより、オリジナルの製本原稿と同じ頁順で画像形成を行った後、用紙を綴じることができる画像形成装置を提供することにある。
【００１４】
【課題を解決するための手段】
本発明に係る画像形成装置は、原稿から画像データを読取る画像読取手段と、読取られた画像データを記憶する記憶手段と、該記憶手段に記憶された画像データに基づいて用紙上に画像形成を行う画像形成手段とを備える画像形成装置において、見開いた製本原稿を読み込む場合、前記画像読取手段で原稿本文の２頁分の画像データを順次読取り、読み取って得られた画像データを前記記憶手段に記憶させる手段と、該記憶手段に記憶させた画像データを製本原稿と同じ頁順で、先頭頁を用紙の片面に印刷し、２頁目以降の順次読み取って得られた各画像データを１枚の用紙の表裏に順次印刷し、最後の頁を用紙の片面に印刷する制御手段とを備えることを特徴とする。
また、本発明に係る画像形成装置は、原稿から画像データを読取る画像読取手段と、読取られた画像データを記憶する記憶手段と、該記憶手段に記憶された画像データに基づいて用紙上に画像形成を行う画像形成手段とを備える画像形成装置において、製本原稿を読み込む場合、前記画像読取手段で少なくとも表表紙１頁分の画像データを読み取り、さらに見開いた原稿本文の２頁分の画像データを順次読取り、読み取って得られた画像データを前記記憶手段に記憶させる手段と、該記憶手段に記憶させた画像データを製本原稿と同じ頁順で表表紙の画像データと原稿本文の先頭頁とを１枚の用紙の表裏に印刷し、２頁目以降の順次読み取って得られた各画像データを１枚の用紙の表裏に順次印刷し、最後の頁を用紙の片面に印刷する制御手段とを備えることを特徴とする。
【００１５】
本発明にあっては、見開いた製本原稿を読み込む場合、原稿本文の２頁分の画像データを順次読取り、読み取って得られた画像データを記憶させると共に、記憶させた画像データを製本原稿と同じ頁順で、先頭頁を用紙の片面に印刷し、２頁目以降の順次読み取って得られた各画像データを１枚の用紙の表裏に順次印刷し、最後の頁を用紙の片面に印刷する。したがって、製本原稿を見開いて順次読み込ませた場合であっても、オリジナルの製本原稿と同じ頁順で印刷物を得ることが可能である。
また、本発明にあっては、製本原稿を読み込む場合、少なくとも表表紙１頁分の画像データを読み取り、さらに見開いた原稿本文の２頁分の画像データを順次読取り、読み取って得られた画像データを製本原稿と同じ頁順で表表紙の画像データと原稿本文の先頭頁とを１枚の用紙の表裏に印刷し、２頁目以降の順次読み取って得られた各画像データを１枚の用紙の表裏に順次印刷し、最後の頁を用紙の片面に印刷することにより、表表紙を有する製本原稿であっても、表表紙と原稿本文とをオリジナルの製本原稿と同じ頁順で印刷物を得ることが可能である。
【００１６】
本発明に係る画像形成装置は、製本原稿の表紙の有無に関する情報の入力を受付ける手段を更に備え、表紙がある場合、読取られた表紙の画像データを表表紙及び裏表紙に分割して記憶させるべくなしてあることを特徴とする。
また、本発明に係る画像形成装置は、分割して記憶させた画像データを最初の用紙と最後の用紙とに分けて画像形成を行わせる手段を備えることを特徴とする。
【００１７】
本発明にあっては、製本原稿の表紙の有無に関する情報の入力を受付けるようにしている。したがって、表表紙および裏表紙を同時に読込ませた場合であっても、表表紙の画像データと裏表紙の画像データとを分けて印刷することが可能であるため、オリジナルの製本原稿と同じ頁順で印刷物を得ることが可能である。
また、本発明にあっては、さらに、表表紙および裏表紙を同時に読込ませた場合であっても、表表紙の画像データと裏表紙の画像データとを最初の用紙と最後の用紙とに分けて印刷することが可能であるため、オリジナルの製本原稿と同じ頁順で印刷物を得ることが可能である。
【００１８】
本発明に係る画像形成装置は、用紙に付すべき頁情報を生成する頁情報生成手段と、生成した頁情報を前記記憶手段に記憶してある原稿本文の画像データに関連付けて記憶する手段とを備え、画像形成を行う際、頁情報を付加して画像形成を行うべくなしてあることを特徴とする。
【００１９】
本発明にあっては、用紙に付すべき頁情報を生成し、生成した各画像データに関連付けて記憶するようにしている。したがって、印刷時には所望の頁順に並べ替えて印刷される。
【００２２】
本発明に係る画像形成装置は、画像形成を行うべき画像データが、右綴じ製本用の画像データであるか、又は左綴じ製本用の画像データであるかの選択を受付ける手段を更に備え、該手段で受け付けた選択に応じて、右綴じ製本又は左綴じ製本と同じ頁順に画像データを生成すべくなしてあることを特徴とする。
【００２３】
本発明にあっては、右綴じ製本用の画像データであるか、又は左綴じ製本用の画像データであるかの選択を受付ける手段を備えている。したがって、左右何れの方向に綴じる製本原稿であっても、そのオリジナルの製本原稿と同じ位置に印刷を行うことが可能となる。
【００２６】
本発明に係る画像形成装置は、画像形成がされた用紙を綴じる手段を更に備えることを特徴とする。
【００２７】
本発明にあっては、画像形成がされた用紙を綴じる手段を備えているため、オリジナルの製本原稿と同じ位置に表表紙、裏表紙、本文の原稿が印刷された後、製本される。
【００２８】
【発明の実施の形態】
以下、本発明をその実施の形態を示す図面に基づいて具体的に説明する。
実施の形態１．
図１は、本発明に係る画像形成装置の全体構成を示す断面図である。図中１は画像形成部であり、原稿読取部２により読取られた原稿の画像データに基づいて用紙上に画像形成を行う。画像形成部１にて画像データが印刷された用紙Ｐは用紙処理部３でステープル処理が行われた後、用紙スタック部４に排出される。
【００２９】
原稿読取部２は、上面に透明なガラス等からなる原稿台５を有しており、この原稿台５の下方にスキャナ光学系６が配されている。スキャナ光学系６は、露光用光源７、複数の反射鏡８，９，１０、結像レンズ１１、及びＣＣＤカメラのような光電変換装置１２を備えている。
【００３０】
原稿台５に載置される原稿に対して、露光用光源７からの照射光により光走査が行われ、原稿からの反射光が反射鏡８，９，１０、及び結像レンズ１１を介して光電変換装置１２に導かれる。光電変換装置１２によって読取られた画像データは、画像処理が施され、画像形成部１に送られる。
【００３１】
原稿読取部２は、それ自体公知の技術であり、原稿を自動的に搬送する機能を有する自動原稿搬送部を備えたものであってもよい。
【００３２】
画像形成部１は、図１に示した白抜矢符の方向に回転駆動されるドラム形状の感光体１６を備えており、感光体１６の周囲に、感光体１６を所定の電位に帯電させる主帯電器１７、帯電された感光体１６の表面にレーザ光を照射して静電潜像を形成するレーザ光照射装置１８、レーザ光によって露光された感光体１６の表面の静電潜像をトナーにより可視像に現像する現像装置１９、感光体１６上のトナー像を用紙Ｐに転写する転写チャージャ２０、及び感光体１６の表面の残留トナーを除去するクリーニング装置２１が順に配置されている。
【００３３】
本発明の画像形成装置を複写機として使用する場合、レーザ光照射装置１８は、光電変換装置１２により読取られて、画像処理が施された画像データに基づいてレーザ光を感光体１６の表面に照射し、静電潜像を形成する。
【００３４】
画像形成部１は、その下部に給紙搬送部１５を備えており、給紙搬送部１５は、次のように構成されている。
画像形成部１内の第１排紙部１３の下方に用紙Ｐが収納された用紙カセット２２が装着され、用紙カセット２２の先端部に、用紙Ｐを給紙するための呼込みローラ２３及び用紙さばき部２４が配されている。用紙さばき部２４は、例えば、ローラと摩擦シート部材又は逆転ローラとからなる。
【００３５】
画像形成装置１の外側の下部に手差しトレイ２５が設けられ、その先端部に呼込みローラ２６及び用紙さばき部２７が配されている。用紙カセット２２及び手差しトレイ２５の下流側に、用紙Ｐの通過を検知するためのレジスト前検知スイッチ（不図示）、及びこのレジスト前スイッチの信号に基づいて感光体１６上のトナー像と用紙Ｐとの位置合わせを行うレジストローラ２８が配置され、用紙Ｐをレジストローラ２８に導く用紙搬送路２９，３０が形成されている。
【００３６】
転写チャージャ２０の下流側に、用紙Ｐ上のトナー像を熱により定着させる１対の定着ローラ３１，３２、及び用紙Ｐが定着ローラ３１，３２を通過したことを検知する定着紙検知スイッチ（不図示）が配置されている。画像形成部１の第１排紙部１３の上方に、用紙Ｐを第１排紙部１３に排出するための第１の排紙ローラ３３、及び排紙ローラ３３の前で用紙Ｐが通過したことを検知する排紙検知スイッチ（不図示）が配置されている。
【００３７】
定着ローラ３１，３２と排紙ローラ３３との間に、用紙Ｐを導く用紙搬送路３４，３５，３６が形成されている。用紙搬送路３５の上流側端部は、上流側に向かって、用紙搬送路３４と、用紙Ｐに両面印字を行う場合に使用する副搬送路３７とに分岐しており、この分岐部に、両面印字時に用紙Ｐを用紙搬送路３５から副搬送路３７に導くためのデフレクタ３８が設けられている。副搬送路３７の他端部は、レジストローラ２８の上流側に合流している。また、用紙搬送路３５の下流側端部は、用紙搬送路３６と、用紙Ｐを用紙処理部３に導くための用紙搬送路３９とに分岐しており、この分岐部に、用紙Ｐを２つの用紙搬送路３６，３９に振り分けるためのデフレクタ４０が設けられている。
【００３８】
用紙処理部３には、画像形成部１の用紙搬送路３９の下流端に接続されて用紙Ｐを用紙処理部３の内部に搬送する用紙搬送路４１が形成されている。用紙搬送路４１の下流側端部は上側のエスケープ搬送路４２と下側のステープル用搬送路４３とに分岐しており、この分岐部に、用紙Ｐを振り分けるためのデフレクタ４４が設けられている。
【００３９】
エスケープ搬送路４２の下流側端部は上側の用紙搬送路４５と下側の用紙搬送路４６とに分岐しており、この分岐部に、用紙Ｐを２つの用紙搬送路４５，４６に振り分けるためのデフレクタ４７が設けられている。用紙搬送路４５の下流側端部に、第２の排紙ローラ４８が配置されている。ステープル用搬送路４３の下流端寄りの部分に用紙Ｐの所定位置にステープル処理を行うためのステープルユニット４９が設けられている。ステープル用搬送路４３の下流端は用紙搬送路４６の下流端と合流しており、この部分に第３の排紙ローラ５０が設けられている。
【００４０】
用紙スタック部４は、上側の第２排紙部５１と下側の第３排紙部５２とを備えている。第２排紙部５１には、第２の排紙ローラ４８から排出される用紙Ｐを受ける第１用紙スタックトレイ５３が設けられている。第３排紙部５２には、第３の排紙ローラ５０から排出される用紙Ｐを受ける第２用紙スタックトレイ５４が設けられている。第２用紙スタックトレイ５４は、上下に移動可能であり、第２用紙スタックトレイ５４の位置を検出する上限センサ（不図示）により、常に排紙ローラ５０との距離を一定に保ち、排紙性能の向上と大容量のスタックとを可能にしている。
【００４１】
本発明の画像形成装置では、用紙Ｐは、用紙カセット２２又は手差しトレイ２５から用紙搬送路２９，３０の何れかを通じて給紙され、レジストローラ２８を通じて感光体１６と転写チャージャ２０との間に搬送される。用紙カセット２２又は手差しトレイ２５の選択は、たとえば、選択された各用途の機能、使用者の設定等に基づいて行われる。用紙Ｐは、転写チャージャ２０により感光体１６上のトナー像が転写された後、定着ローラ３１，３２によってトナー像の定着が行われ、共通の用紙搬送路３４に導かれる。
【００４２】
片面印刷の場合、トナー像の定着が終了した用紙Ｐは、選択された第１排紙部１３、第２排紙部５１、又は第３排紙部５２に排出される。各排紙部１３，５１，５２の選択は、選択された各用途の機能、使用される用紙Ｐのサイズ、使用者の設定等に基づいて、デフレクタ３８，４０，４４，４７を切り換えることによって行われる。
【００４３】
ステープル処理が選択された場合は、デフレクタ３８が用紙搬送路３５側（用紙搬送路３４から用紙搬送路３５への移動を許容する側）に、デフレクタ４０が用紙搬送路３９側（用紙搬送路３５から用紙搬送路３９への移動を許容する側）に、デフレクタ４４がステープル用搬送路４３側（用紙搬送路４１から用紙搬送路４３への移動を許容する側）にそれぞれ切換えられて、用紙搬送路３５，３９，４１及びステープル用搬送路４３が選択され、その結果、第３排紙部５２の第２用紙スタックトレイ５４が選択される。
【００４４】
この場合、トナー像の定着が終了した用紙Ｐは、用紙搬送路３４，３５，３９，４１を通ってステープル用搬送路４３に搬送され、ステープル用搬送路４３内の所定位置に位置決め、停止される。そして、ステープル用搬送路４３内に所定枚数の用紙Ｐが溜まったところで、ステープルユニット４９により用紙Ｐの所定位置にステープル処理が施され、綴じられた用紙束が第３の排紙ローラ５０を通って第２用紙スタックトレイ５４に排出される。
【００４５】
図２は、本発明の画像形成装置の内部構成を示すブロック図である。画像形成装置は、ＣＰＵから構成される制御部１００を備えており、バス１０１，１０１，…を介して、ＲＯＭ１０２、ＲＡＭ１０３、表示部１０４、操作部１０５、画像形成部１、原稿読取部２、及び用紙処理部３等の各ハードウェアに接続されている。制御部１００はＲＯＭ１０２に格納された表示用プログラム、座標変換プログラム、キー入力処理プログラム、機能実行プログラム等の各種制御プログラムに従って、それらのハードウェアを制御する。ＲＡＭ１０３はＳＲＡＭ又はフラッシュメモリ等で構成され、ＲＯＭ１０２に格納された各種制御プログラムの実行時に発生する一時的なデータ、原稿読取部２により読込まれた画像データ等を記憶する。
【００４６】
表示部１０４は、液晶ディスプレイのような表示装置を備えており、本発明の画像形成装置の使用状態及び設定条件について表示し、操作部１０５は、前記表示部１０４を見ながら画像形成装置を操作するために必要なテンキー、ファンクションキー、複数の機能を切り換えるために必要な機能選択キー等を備えている。
【００４７】
原稿読取部２は、例えば、前述したようにＣＣＤカメラ等の光学変換素子１２を用いて、原稿の画像情報を読取って画像データを生成するものであって、生成した画像データは、図に示していない画像処理部により画像処理が施され、画像処理が施された画像データが画像形成部１により用紙に印刷されて出力される。また、必要に応じて、制御部１は制御信号を出力し、画像形成が行われた用紙に対してステープル処理を用紙処理部３に行わせる。
【００４８】
本発明では、原稿読取部２から読込まれた画像データを一度ＲＡＭ１０３に記憶し、表紙原稿の有無、原稿本文の頁数等の情報に基づいて画像データを分割して記憶し、分割した画像データを所望の頁順に並べ替えて印刷するようにしている。
【００４９】
図３は、本発明に係る画像形成装置の出力イメージを説明する模式図である。本発明の画像形成装置では、ステープル処理を施して得られた製本が左開きとなるように綴じる「左綴じモード」と右開きとなるように綴じる「右綴じモード」とを操作部１０５から選択できるようになっている。例えば、横書き原稿の場合には「左綴じモード」が選択され、縦書き原稿の場合には「右綴じモード」が選択される。
【００５０】
本発明の画像形成装置では、綴じ位置を用紙の左端又は右端に切換えて、左開きの製本又は右開きの製本を得ているのではなく、後述するように画像形成を行う頁の順序を「左綴じモード」と「右綴じモード」とで変更し、予め定められた何れか一方の端部で用紙を綴じることによって左開きの製本と右開きの製本とを得ている。
【００５１】
「左綴じモード」では、用紙の表面に第Ｎ頁、裏面に第Ｎ＋１頁を印刷し、「右綴じモード」では、用紙の表面に第Ｎ＋１頁、裏面に第Ｎ頁を印刷する（図３（ａ），（ｂ））。なお、図３では便宜的に、連続した２つの矩形において、左側を用紙の表面、右側を用紙の裏面としている。
【００５２】
表表紙、裏表紙、及び合計Ｎ頁の原稿本文がある場合、「左綴じモード」では、まず、用紙の表面に最終頁である第Ｎ頁が印刷され、その裏面に裏表紙が印刷される。次いで、降順に第４頁及び第５頁、第２頁及び第３頁と用紙の表面及び裏面に印刷され、用紙の表面に表表紙が印刷され、その裏面に第１頁が印刷される（図３（ｃ））。そして、ステープル処理が施される場合、表表紙の左端が綴じられる。また、原稿が表表紙および裏表紙のみである場合、用紙の表面と裏面とにそれぞれ印刷される（図３（ｄ））。
【００５３】
「右綴じモード」では、同様に、まず用紙の表面に第１頁が印刷され、その裏面に表表紙が印刷される。次いで、第３頁、第２頁、…と順次用紙の表面及び裏面に印刷され、裏表紙が用紙の表面に印刷された後、その裏面に第Ｎ頁が印刷される（図３（ｅ））。そして、ステープル処理が施される場合、表表紙の右端が綴じられる。また、原稿が表表紙および裏表紙のみである場合、用紙の表面と裏面とにそれぞれ印刷される（図３（ｆ））。
【００５４】
図４は、本発明に係る画像形成装置の処理手順を説明する模式図である。本発明の画像形成装置によって製本原稿を読込む場合、まず、表表紙および裏表紙を原稿読取部２にて同時に読込む。そして、順次、原稿本文の第ｉ頁および第ｉ＋１頁（ｉ＝１，３，…）を同時に読込んでゆく（図４（ａ））。原稿読取部２によって同時に読込む２頁分の原稿は、各頁が一枚の用紙に記録されている原稿であってもよく、また、２枚の用紙に夫々記録されている原稿であってもよい。
【００５５】
読込まれた表表紙および裏表紙の画像データ、原稿本文の第ｉ頁および第ｉ＋１頁の画像データは、ＲＡＭ１０３上で２分割されて、ＲＡＭ１０３の各別の記憶領域に記憶される（図４（ｂ））。また、原稿本文の最終頁が偶数でない場合、すなわち、図４（ｂ）に示す第６頁に相当する頁がない場合、最終頁の画像データとして空白の画像に対応した画像データをＲＡＭ１０３の適宜の記憶領域に記憶させる。
【００５６】
そして、ＲＡＭ１０３に記憶させた画像データを画像形成部１によって用紙上に出力する際には、まず、原稿本文の最終頁の画像データと裏表紙の画像データとを夫々、１枚の用紙の表面と裏面とに印刷する。そして、第ｉ＋１頁および第ｉ＋２頁（ｉ＝１，３，…）の画像データを降順に、１枚の用紙の表面と裏面とに印刷してゆき、表表紙の画像データと第１頁の画像データとを１枚の用紙の表面と裏面とに印刷する（図４（ｃ））。
【００５７】
このように、表表紙および裏表紙を原稿読取部２によって同時に読取った場合であっても、表表紙の画像データと裏表紙の画像データとを分割して記憶し、原稿本文の最終頁の後に裏表紙の画像データを印刷することができるため、オリジナルの製本と同じ配置で印刷した後に、用紙処理部３にて綴じることが可能となる。
【００５８】
図５及び図６は、本実施の形態に係る画像形成装置の処理手順を説明するフローチャートである。
まず、画像形成装置の制御部１００は、操作部１０５により「左綴じモード」又は「右綴じモード」の何れかのモードの選択を受付けたか否かの判断を行う（ステップＳ１）。モードの選択を受付けていない場合（Ｓ１：ＮＯ）、モードの選択を受付けるまで待機する。
【００５９】
ステップＳ１でモードの選択を受付けた場合（Ｓ１：ＹＥＳ）、受付けたモードが「左綴じモード」であるか否かを判断する（ステップＳ２）。受付けたモードが「左綴じモード」である場合（Ｓ２：ＹＥＳ）、「左綴じモード」が選択され（ステップＳ３）、受付けたモードが「左綴じモード」でない場合（Ｓ２：ＮＯ）、「右綴じモード」が選択される（ステップＳ４）。
【００６０】
次いで、表示部１０４に表表紙および裏表紙を読込むか否かについての質問情報を表示させることによって、画像形成装置を操作している者に表表紙および裏表紙の読込みを行うか否かの選択をさせる。そして、画像形成装置の制御部１００は、受付けた選択に基づき、表表紙および裏表紙の読込みを行うか否かの判断をして（ステップＳ５）、表表紙および裏表紙の読込みを行うと判断した場合には（Ｓ５：ＹＥＳ）、表表紙および裏表紙の画像データを原稿読取部２によって同時に読込む（ステップＳ６）。
【００６１】
次いで、制御部１００は、ステップＳ１にて受付けたモードが「左綴じモード」であるか否かの判断を行い（ステップＳ７）、「左綴じモード」である場合（Ｓ７：ＹＥＳ）、ステップＳ６にて読込まれた画像データを二分し、左側を裏表紙、右側を表表紙に設定する（ステップＳ８）。また、ステップＳ７で「左綴じモード」でないと判断された場合（Ｓ７：ＮＯ）、ステップＳ６にて読込まれた画像データを二分し、左側を表表紙、右側を裏表紙に設定する（ステップＳ９）。
【００６２】
ステップＳ５で表表紙および裏表紙の読込みを行わないと判断した場合（Ｓ５：ＮＯ）、又はステップＳ６で読込まれた画像データの表表紙および裏表紙の設定を行った場合（Ｓ８，Ｓ９）、本文の読込みを開始する（ステップＳ１０）。そして、読込んだ画像データをＲＡＭ１０３に記憶させる際の頁情報としてカウンタをＮ＝１に設定する（ステップＳ１１）。
【００６３】
次いで、制御部１００は本文の読込みが終了したか否かの判断を行い（ステップＳ１２）、本文の読込みが終了していないと判断した場合（Ｓ１２：ＮＯ）、本文の２頁分の画像データを原稿読取部２によって同時に読込む（ステップＳ１３）。
【００６４】
次いで、制御部１００は、ステップＳ１にて受付けたモードが「左綴じモード」であるか否かの判断を行い（ステップＳ１４）、「左綴じモード」である場合（Ｓ１４：ＹＥＳ）、ステップＳ１３にて読込まれた画像データを二分し、左側をＮ頁、右側をＮ＋１頁に設定する（ステップＳ１５）。また、ステップＳ１４で「左綴じモード」でないと判断された場合（Ｓ１４：ＮＯ）、ステップＳ１３にて読込まれた画像データを二分し、左側をＮ＋１頁、右側をＮ頁に設定する（ステップＳ１６）。
そして、ステップＳ１５又はステップＳ１６で頁の設定をした後、カウンタの値を２だけ増加させ（ステップＳ１７）、処理をステップＳ１２へ戻す。
【００６５】
ステップＳ１２で本文の読込みが終了したと判断した場合（Ｓ１２：ＹＥＳ）、ステップＳ１にて受付けたモードが「左綴じモード」であるか否かの判断を行い（ステップＳ１８）、「左綴じモード」である場合（Ｓ１８：ＹＥＳ）、左綴じの画像配置で用紙Ｐに画像形成を行い、必要に応じて用紙処理部３にてステープル処理を行った後、出力する（ステップＳ１９）。また、ステップＳ１で受付けたモードが「左綴じモード」でないと判断した場合には（Ｓ１８：ＮＯ）、右綴じの画像配置で用紙Ｐに画像形成を行い、必要に応じて用紙処理部３にてステープル処理を行った後、出力する（ステップＳ２０）。
【００６６】
実施の形態２．
本実施の形態では、原稿読取部２にて読込まれた表表紙および裏表紙の原稿の寸法が、本文の原稿の寸法と同じであるか否かを判定させる点が実施の形態１と異なる。
図７〜図９は、本実施の形態に係る画像形成装置の処理手順を説明するフローチャートである。まず、画像形成装置の制御部１００は、操作部１０５により「左綴じモード」又は「右綴じモード」の何れかのモードの選択を受付けたか否かの判断を行う（ステップＳ３１）。モードの選択を受付けていない場合（Ｓ３１：ＮＯ）、モードの選択を受付けるまで待機する。
【００６７】
ステップＳ３１でモードの選択を受付けた場合（Ｓ３１：ＹＥＳ）、受付けたモードが「左綴じモード」であるか否かを判断する（ステップＳ３２）。受付けたモードが「左綴じモード」である場合（Ｓ３２：ＹＥＳ）、「左綴じモード」が選択され（ステップＳ３３）、受付けたモードが「左綴じモード」でない場合（Ｓ３２：ＮＯ）、「右綴じモード」が選択される（ステップＳ３４）。
【００６８】
次いで、表示部１０４に表表紙および裏表紙を読込むか否かについての質問情報を表示させることによって、画像形成装置を操作している者に表表紙および裏表紙の読込みを行うか否かの選択をさせる。そして、画像形成装置の制御部１００は、受付けた選択に基づき表表紙および裏表紙の読込みを行うか否かの判断をして（ステップＳ３５）、表表紙および裏表紙の読込みを行うと判断した場合には（Ｓ３５：ＹＥＳ）、表表紙および裏表紙の画像データを原稿読取部２によって同時に読込む（ステップＳ３６）。
【００６９】
次いで、制御部１００は、ステップＳ３１にて受付けたモードが「左綴じモード」であるか否かの判断を行い（ステップＳ３７）、「左綴じモード」である場合（Ｓ３７：ＹＥＳ）、ステップＳ３６にて読込まれた画像データを二分し、左側を裏表紙、右側を表表紙に設定する（ステップＳ３８）。また、ステップＳ３７で「左綴じモード」でないと判断された場合（Ｓ３７：ＮＯ）、ステップＳ３６にて読込まれた画像データを二分し、左側を表表紙、右側を裏表紙に設定する（ステップＳ３９）。
【００７０】
ステップＳ３５で、表表紙および裏表紙の読込みを行わないと判断した場合（Ｓ３５：ＮＯ）、又はステップＳ３６で読込まれた画像データの表表紙および裏表紙の設定を行った場合（Ｓ３８，Ｓ３９）、本文の読込みを開始する（ステップＳ４０）。そして、読込んだ画像データをＲＡＭ１０３に記憶させる際の頁情報としてカウンタをＮ＝１に設定する（ステップＳ４１）。
【００７１】
次いで、制御部１００は本文の読込みが終了したか否かの判断を行い（ステップＳ４２）、本文の読込みを終了していないと判断した場合（Ｓ４２：ＮＯ）、本文の２頁分の画像データが原稿読取部２によって同時に読込む（ステップＳ４３）。
【００７２】
次いで、制御部１００は、ステップＳ３１にて受付けたモードが「左綴じモード」であるか否かの判断を行い（ステップＳ４４）、「左綴じモード」である場合（Ｓ４４：ＹＥＳ）、ステップＳ４３にて読込まれた画像データを二分し、左側をＮ頁、右側をＮ＋１頁に設定する（ステップＳ４５）。また、ステップＳ４４で「左綴じモード」でないと判断された場合（Ｓ４４：ＮＯ）、ステップＳ４３にて読込まれた画像データを二分し、左側をＮ＋１頁、右側をＮ頁に設定する（ステップＳ４６）。
そして、ステップＳ４５又はステップＳ４６で頁の設定をした後、カウンタの値を２だけ増加させ（ステップＳ４７）、処理をステップＳ４２へ戻す。
【００７３】
ステップＳ４２にて、本文の読込みが終了したと判断された場合（Ｓ４２：ＹＥＳ）、ステップＳ３６で読込んだ表表紙および裏表紙の原稿の寸法とステップＳ４３で読込んだ本文の原稿の寸法とが異なるか否かを判断する（ステップＳ４８）。
両者の原稿寸法が異なると判断された場合（Ｓ４８：ＹＥＳ）、表表紙のみが読込まれており、裏表紙が読込まれていないと判断して、新たに裏表紙を読込むか否かを問う質問情報を表示部１０４に表示する。そして、制御部１００は、裏表紙の読込みを行うか否かの判断を行い（ステップＳ４９）、裏表紙を読込むと判断した場合（Ｓ４９：ＹＥＳ）、原稿読取部２により裏表紙を読込む（ステップＳ５０）。裏表紙を読込まないと判断した場合（Ｓ４９：ＮＯ）、裏表紙を読込まずに次の処理を行う。
【００７４】
次いで、表表紙および裏表紙の画像データを設定する（ステップＳ５１）。ステップＳ５０で裏表紙の画像データを読込んだ場合、読込まれた画像データを裏表紙の画像データであると設定し、また、ステップＳ３６で読込まれた画像データを二分せずに表表紙の画像データとして設定する。
裏表紙を読込まずに表表紙および裏表紙の画像データの設定をする場合、白紙の画像データを裏表紙に設定し、ステップＳ３６で読込まれた画像データを二分せずに表表紙の画像データとして設定する。
【００７５】
表表紙および裏表紙の画像データの設定が終了した場合（ステップＳ５１）、又はステップＳ４８で表表紙および裏表紙の原稿寸法が本文の原稿寸法と同じであると判断された場合（Ｓ４８：ＮＯ）、ステップＳ３１にて受付けたモードが「左綴じモード」であるか否かの判断を行い（ステップＳ５２）、「左綴じモード」である場合（Ｓ５２：ＹＥＳ）、左綴じの画像配置で用紙Ｐに画像形成を行い、必要に応じて用紙処理部３にてステープル処理を行った後、出力する（ステップＳ５３）。また、ステップＳ１で受付けたモードが「左綴じモード」でないと判断した場合には（Ｓ５２：ＮＯ）、右綴じの画像配置で用紙Ｐに画像形成を行い、必要に応じて用紙処理部３にてステープル処理を行った後、出力する（ステップＳ５４）。
【００７６】
以上のように、図７〜図９に示すフローチャートに従って処理動作を行うことにより、使用者が裏表紙の原稿を読取らせることを忘れた場合であっても、本発明の画像形成装置が自動的に判別して裏表紙の原稿がない旨の情報を表示部１０４に表示させて使用者に報知するため、再度、裏表紙の読み取りを実行することが可能となる。
【００７７】
【発明の効果】
以上、詳述したように、本発明による場合は、見開いた製本原稿を読み込む場合、原稿本文の２頁分の画像データを順次読取り、読み取って得られた画像データを記憶させると共に、記憶させた画像データを製本原稿と同じ頁順で、先頭頁を用紙の片面に印刷し、２頁目以降の順次読み取って得られた各画像データを１枚の用紙の表裏に順次印刷し、最後の頁を用紙の片面に印刷する。したがって、製本原稿を見開いて順次読み込ませた場合であっても、オリジナルの製本原稿と同じ頁順で印刷物を得ることが可能である。
また、本発明による場合は、製本原稿を読み込む場合、少なくとも表表紙１頁分の画像データを読み取り、さらに見開いた原稿本文の２頁分の画像データを順次読取り、読み取って得られた画像データを製本原稿と同じ頁順で表表紙の画像データと原稿本文の先頭頁とを１枚の用紙の表裏に印刷し、２頁目以降の順次読み取って得られた各画像データを１枚の用紙の表裏に順次印刷し、最後の頁を用紙の片面に印刷することにより、表表紙を有する製本原稿であっても、表表紙と原稿本文とをオリジナルの製本原稿と同じ頁順で印刷物を得ることが可能である。
【００７８】
また、本発明による場合は、製本原稿の表紙の有無に関する情報の入力を受付けるようにしている。したがって、表表紙および裏表紙を同時に読込ませた場合であっても、表表紙の画像データと裏表紙の画像データとを分けて印刷することが可能であるため、オリジナルの製本原稿と同じ頁順で印刷物を得ることが可能である。
また、本発明による場合は、表表紙および裏表紙を同時に読込ませた場合であっても、表表紙の画像データと裏表紙の画像データとを最初の用紙と最後の用紙とに分けて印刷することが可能であるため、オリジナルの製本原稿と同じ頁順で印刷物を得ることが可能である。
【００７９】
更に、本発明にあっては、用紙に付すべき頁情報を生成し、生成した各画像データに関連付けて記憶するようにしている。したがって、印刷時には所望の頁順に並べ替えて印刷される。
【００８１】
更に、本発明にあっては、右綴じ製本用の画像データであるか、又は左綴じ製本用の画像データであるかの選択を受付ける手段を備えている。したがって、左右何れの方向に綴じられた製本原稿であっても、その製本原稿と同じ位置に印刷を行うことが可能となる。
【００８３】
更に、本発明にあっては、画像形成がされた用紙を綴じる手段を備えているため、オリジナルの製本原稿と同じ位置に表表紙、裏表紙、本文の原稿を印刷して製本することが出来る等、本発明は優れた効果を奏する。
【図面の簡単な説明】
【図１】本発明に係る画像形成装置の全体構成を示す断面図である。
【図２】本発明の画像形成装置の内部構成を示すブロック図である。
【図３】本発明に係る画像形成装置の出力イメージを説明する模式図である。
【図４】本発明に係る画像形成装置の処理手順を説明する模式図である。
【図５】本実施の形態に係る画像形成装置の処理手順を説明するフローチャートである。
【図６】本実施の形態に係る画像形成装置の処理手順を説明するフローチャートである。
【図７】本実施の形態に係る画像形成装置の処理手順を説明するフローチャートである。
【図８】本実施の形態に係る画像形成装置の処理手順を説明するフローチャートである。
【図９】本実施の形態に係る画像形成装置の処理手順を説明するフローチャートである。
【符号の説明】
１  画像形成部
２  原稿読取部
３  用紙処理部
１００  制御部
１０１  バス
１０２  ＲＯＭ
１０３  ＲＡＭ
１０４  表示部
１０５  操作部
【図１】
0003805268.tif 000002
【図２】
0003805268.tif 000003
【図３】
0003805268.tif 000004
【図４】
0003805268.tif 000005
【図５】
0003805268.tif 000006
【図６】
0003805268.tif 000007
【図７】
0003805268.tif 000008
【図８】
0003805268.tif 000009
【図９】
0003805268.tif 000010